(57)【要約】【課題】  意図した分光特性にできるだけ近づけることができ、物体色の見え方に大きな違いを生じることがないようにする。【解決手段】  異なる色の光を発生する複数の発光素子を有する発光手段（１５）を備えた照明装置において、複数の既定光源の分光特性データを保持する保持手段（１８ｄ）と、ユーザ操作に基づいて前記複数の既定光源の分光特性データの一つを選択する選択手段（１８ａ）と、前記選択手段によって選択された既定光源の分光特性データに基づいて前記発光手段の各色ごとの発光素子の発光強度を制御する制御手段（１８ａ）とを具備することを特徴とする照明装置である。【選択図】  図２
2010020042.tif 000002
【特許請求の範囲】
【請求項１】
異なる色の光を発生する複数の発光素子を有する発光手段を備えた照明装置において、
複数の既定光源の分光特性データを保持する保持手段と、
ユーザ操作に基づいて前記複数の既定光源の分光特性データの一つを選択する選択手段と、
前記選択手段によって選択された既定光源の分光特性データに基づいて前記発光手段の各色ごとの発光素子の発光強度を制御する制御手段と
を具備することを特徴とする照明装置。
【請求項２】
ユーザ独自の分光特性データを設定するための設定手段をさらに備え、
前記保持手段は前記複数の既定光源の分光特性データとともに前記設定手段によって設定されたユーザ独自の分光特性データも保持し、
前記選択手段はユーザ操作に基づいて前記複数の既定光源の分光特性データまたはユーザ独自の分光特性データの一つを選択することを特徴とする請求項１に記載の照明装置。
【請求項３】
前記設定手段は、ユーザに対して、波長ごとの光強度に関する情報を設定するためのコントロールオブジェクトを有する設定画面を提示し、該コントロールオブジェクトによって入力された前記情報に基づいて、ユーザ独自の分光特性データを設定することを特徴とする請求項２に記載の照明装置。
【請求項４】
前記設定手段は、ユーザに対して、波長ごとの光強度に関する情報をタッチ入力により設定するための設定画面を提示し、該タッチ入力された前記情報に基づいて、ユーザ独自の分光特性データを設定することを特徴とする請求項２に記載の照明装置。
【請求項５】
請求項１乃至４いずれかに記載の照明装置を有することを特徴とするカメラ。
【請求項６】
異なる色の光を発生する複数の発光素子を有する発光手段を備えた照明装置のコンピュータを、
複数の既定光源の分光特性データを保持する保持手段と、
ユーザ操作に基づいて前記複数の既定光源の分光特性データの一つを選択する選択手段と、
前記選択手段によって選択された既定光源の分光特性データに基づいて前記発光手段の各色ごとの発光素子の発光強度を制御する制御手段と
して機能させることを特徴とするプログラム。
【請求項７】
ユーザ独自の分光特性データを設定するための設定手段をさらに含み、
前記保持手段は前記複数の既定光源の分光特性データとともに前記設定手段によって設定されたユーザ独自の分光特性データも保持し、
前記選択手段はユーザ操作に基づいて前記複数の既定光源の分光特性データまたはユーザ独自の分光特性データの一つを選択することを特徴とする請求項６に記載のプログラム。
【発明の詳細な説明】
【技術分野】
【０００１】
本発明は、照明装置、カメラ及びプログラムに関し、特に、被写体撮影時の主光源や補助光源として用いられる照明装置、カメラ及びプログラムに関する。
【背景技術】
【０００２】
従前から、暗所撮影における主光源や日中撮影における補助光源として放電管を用いた閃光式の照明装置（いわゆるストロボ）が用いられてきた。放電管は、ほぼフラットな可視光域の色分布特性を有していることから、とりわけカラー画像の撮影に有効であるものの、一度発光してから次に発光するまでの間に所要の待ち時間を伴うという欠点があった。これは、所要の放電電圧を得るために充電（チャージ）動作が必要だからである。この欠点（発光間隔が長い）は通常の撮影を行う場合であれば特段の不都合を招かないが、たとえば、短時間に複数枚の写真を連写する場合、典型的には、露出を段階的に変えて複数枚の写真を連写（ブラケット撮影）する場合に不都合を来すことがある。撮影間隔がチャージ時間で制限されるからである。
【０００３】
これに対して、光源にＬＥＤ等の応答性のよい発光素子を用いた照明装置（以下、ＬＥＤ照明装置という。）は、チャージ動作が不要であることから、前記の欠点（連写不適）を有さない。
【０００４】
ＬＥＤ照明装置に関する従来技術として、たとえば、下記の特許文献１に記載のものが知られている。この従来技術では、各色（便宜的に光の三原色に対応した赤（Ｒ）、緑（Ｇ）及び青（Ｂ））の各発光素子を備え、各色の発光配分をコントロールすることによって所望の色温度の光を得ている。
【０００５】
具体的には、（１）切り換えスイッチがオートに切り換えられているときには、フォトセンサによって検出された被写界の色分配比（色温度）に適した発光バランスとなるように、ストロボ光の発光バランスを制御し、（２）切り換えスイッチがマニュアルに切り換えられているときには、発光バランス設定ボリュームにより設定された発光バランスとなるように、ストロボ光の発光バランスを制御する、としている（同文献の段落〔００９６〕参照）。
【０００６】
したがって、この従来技術によれば、前記（２）より、切り換えスイッチがマニュアルに切り換えられているときに、ストロボ光の“発光バランス”を任意に制御でき、撮影者の好みに応じた色温度の照明光を得ることができるものと思われる。
【０００７】
【特許文献１】特開２００７−８６１７８号公報
【発明の開示】
【発明が解決しようとする課題】
【０００８】
しかしながら、従来技術にあっては、マニュアルモードの際に、単に「発光バランス設定ボリュームにより設定された発光バランスとなるように、ストロボ光の発光バランスを制御」しているに過ぎず、以下の点で改善すべき余地がある。
【０００９】
発光バランス設定ボリュームは同文献の図面（図１１）の記載から、明らかに一個のボリューム（可変抵抗素子）であり、このボリュームから取り出される信号は一つである。それゆえ、従来技術における“発光バランス”は色の配分比（つまり、Ｒ：Ｇ：Ｂ）それ自体を表すのではなく、各種光源色（たとえば、日中の太陽光や朝夕の太陽光、あるいは、白熱電球や蛍光灯などの室内照明光等）を区別するための単なる情報を示しているだけである。これは、色の配分比（Ｒ：Ｇ：Ｂ）を表すためには、少なくともＲ、Ｇ、Ｂの三つの信号（言い換えれば、三つのボリューム）が必要になるからである。
【００１０】
そして、同文献の段落〔００９６〕には、「被写界の色分配比（色温度）」と明記されていることから、前記の情報、つまり、発光バランス設定ボリュームによって設定される情報（発光バランス）は、この色温度を指していることが明らかである。
【００１１】
したがって、従来技術は、要するに、マニュアルモードの際に、発光バランス設定ボリュームにより設定された“色温度”となるように、ストロボ光の発光バランスを制御するものと解される。
【００１２】
さて、色温度は、確かに各種光源色を定量的に表現できる便利な値であるが、実際の光源色を正確に表すものではない。同じ色温度であっても、その光源色を構成する各色の配分（いわゆる分光特性）に多少の相違が存在することがあり、その相違によって撮影者の意図した照明色が得られず、物体色の見え方に違いが生じることがあるからである。
【００１３】
このように、従来技術は、単に色温度に基づいてストロボ光の発光バランスを制御する仕組みに過ぎないため、意図した分光特性が得られずに、物体色の見え方に違いが生じることがあるという問題点がある。
【００１４】
そこで、本発明の目的は、意図した分光特性にできるだけ近づけることができ、物体色の見え方に大きな違いを生じることがない照明装置、カメラ及びプログラムを提供することにある。
【課題を解決するための手段】
【００１５】
請求項１記載の発明は、異なる色の光を発生する複数の発光素子を有する発光手段を備えた照明装置において、複数の既定光源の分光特性データを保持する保持手段と、ユーザ操作に基づいて前記複数の既定光源の分光特性データの一つを選択する選択手段と、前記選択手段によって選択された既定光源の分光特性データに基づいて前記発光手段の各色ごとの発光素子の発光強度を制御する制御手段とを具備することを特徴とする照明装置である。
請求項２記載の発明は、ユーザ独自の分光特性データを設定するための設定手段をさらに備え、前記保持手段は前記複数の既定光源の分光特性データとともに前記設定手段によって設定されたユーザ独自の分光特性データも保持し、前記選択手段はユーザ操作に基づいて前記複数の既定光源の分光特性データまたはユーザ独自の分光特性データの一つを選択することを特徴とする請求項１に記載の照明装置である。
請求項３記載の発明は、前記設定手段は、ユーザに対して、波長ごとの光強度に関する情報を設定するためのコントロールオブジェクトを有する設定画面を提示し、該コントロールオブジェクトによって入力された前記情報に基づいて、ユーザ独自の分光特性データを設定することを特徴とする請求項２に記載の照明装置である。
請求項４記載の発明は、前記設定手段は、ユーザに対して、波長ごとの光強度に関する情報をタッチ入力により設定するための設定画面を提示し、該タッチ入力された前記情報に基づいて、ユーザ独自の分光特性データを設定することを特徴とする請求項２に記載の照明装置である。
請求項５記載の発明は、請求項１乃至４いずれかに記載の照明装置を有することを特徴とするカメラである。
請求項６記載の発明は、異なる色の光を発生する複数の発光素子を有する発光手段を備えた照明装置のコンピュータを、複数の既定光源の分光特性データを保持する保持手段と、ユーザ操作に基づいて前記複数の既定光源の分光特性データの一つを選択する選択手段と、前記選択手段によって選択された既定光源の分光特性データに基づいて前記発光手段の各色ごとの発光素子の発光強度を制御する制御手段として機能させることを特徴とするプログラムである。
請求項７記載の発明は、ユーザ独自の分光特性データを設定するための設定手段をさらに含み、前記保持手段は前記複数の既定光源の分光特性データとともに前記設定手段によって設定されたユーザ独自の分光特性データも保持し、前記選択手段はユーザ操作に基づいて前記複数の既定光源の分光特性データまたはユーザ独自の分光特性データの一つを選択することを特徴とする請求項６に記載のプログラムである。
【発明の効果】
【００１６】
本発明によれば、意図した分光特性にできるだけ近づけることができ、物体色の見え方に大きな違いを生じることがない照明装置、カメラ及びプログラムを提供することができる。
【発明を実施するための最良の形態】
【００１７】
以下、本発明の実施形態を、デジタルカメラへの適用を例にして、図面を参照しながら説明する。
【００１８】
図１は、本発明の実施形態を適用するデジタルカメラの外観図である。この図において、デジタルカメラ１は、手持ちに適した任意形状のボディ２の前面に光学レンズ３を組み込んだレンズ鏡筒４とストロボ発光窓５とを配置すると共に、その上面にシャッタボタン６を配置し、さらに、その背面に液晶パネル等の表示部７と、その表示部７の前面に積層されたタッチパネル８と、撮影モードと再生モードのモード切り換えボタン９と、メニュー表示用のメニューボタン１０と、中央に決定ボタン１１ａを有すると共にその周囲に上下左右矢印ボタン１１ｂ〜１１ｅを有するカーソルキー１１とを配置して構成されている。なお、これら以外にも、たとえば、充電や外部信号入出力用の端子などを適当な位置（ボディ２の底面等）に配置するが、図示の輻輳を避けるために省略する。
【００１９】
図２は、デジタルカメラ１のブロック図である。この図において、デジタルカメラ１は、光学レンズ３を透過した被写体像を二次元的な画像信号に変換して出力するＣＣＤやＣＭＯＳなどからなる撮像部１２と、この画像信号にガンマ補正等の所要の処理を施す画像処理部１３と、前記のモード切り換えボタン９やメニューボタン１０及びカーソルキー１１などを含む操作部１４と、前記のストロボ発光窓５の背面に実装されたストロボ発光部１５と、表示部７の前面に積層されたタッチパネル８のタッチ座標を検出してその座標信号を生成する座標入力部１６と、画像ファイルを記録保存する固定型又は着脱可能型大容量記憶デバイスで構成された記憶部１７と、デジタルカメラ１の動作を統括制御する中央制御部１８とを備える。なお、図示を省略するが、これ以外にも各部への電源を供給する電源部や、パーソナルコンピュータ等の外部機器との間で画像ファイルのやり取りをするデータ入出力部などを備えている。
【００２０】
この図において、中央制御部１８は、コンピュータ（以下、ＣＰＵ）１８ａ、不揮発性メモリ（以下、ＲＯＭ）１８ｂ、揮発性メモリ（以下、ＲＡＭ）１８ｃ及び書き換え可能型不揮発性メモリ（以下、ＰＲＯＭ）１８ｄを備えており、ＲＯＭ１８ｂに予め格納されている制御プログラムやＰＲＯＭ１８ｄに予め又は任意に書き込まれるデータ（後述の「既定の光源色テーブル２０」及び「カスタム設定テーブル２１」等）をＲＡＭ１８ｃにロードしてＣＰＵ１８ａで実行することにより、つまり、プログラム制御方式によって、このデジタルカメラ１の撮影機能や再生機能などを統括制御するものであるが、これに限らず、その機能の全て又は一部をハードロジックで実現してもよいことはもちろんである。
【００２１】
図３（ａ）は、ストロボ発光部１５の発光素子の配列図、図３（ｂ）は、ストロボ発光部１５のブロック図である。まず、図３（ａ）に示すように、ストロボ発光窓５の背面側に配列されたＬＥＤ発光素子は、様々な波長の光を発する複数の発光素子〔図示の例では説明を簡単化するために、赤（Ｒ）、緑（Ｇ）及び青（Ｂ）の光の三原色に対応した三個の発光素子（Ｒ発光素子、Ｇ発光素子及びＢ発光素子）〕を一つのグループＧｉ（ｉは１，２，３，・・・・，１８）にし、このグルーブＧｉを二次元配列して構成されている。
【００２２】
なお、図示の例では、横方向に６個、縦方向に３個のグループＧｉを各々等間隔に配列しているが、これは単なる一例に過ぎない。所望の配光と発光量が得られるような配列であればよく、６×３以外の数であっても、あるいは、中央部分の配列を密にしたりしてもよい。
【００２３】
次に、図３（ｂ）に示すように、ストロボ発光部１５は駆動制御部１９を備える。この駆動制御部１９は、中央制御部１８からのＲ、Ｇ、Ｂ制御信号に応答して各グループＧｉの発光素子の動作を各色単位に駆動制御する。具体的には、Ｒ制御信号に応答して全グループＧｉのＲ発光素子の発光強度を駆動制御し、また、Ｇ制御信号に応答して全グループＧｉのＧ発光素子の発光強度を駆動制御し、さらに、Ｂ制御信号に応答して全グループＧｉのＢ発光素子の発光強度を駆動制御する。
【００２４】
図４は、ＰＲＯＭ１８ｄに格納されている二つのテーブルを示す図である。この図において、一方のテーブルは、工場出荷前に予め書き込まれる既定の光源色テーブル２０であり、他方のテーブルは、ユーザによって任意に書き込まれるカスタム設定テーブル２１である。
【００２５】
光源色テーブル２０には、様々な撮影シーンにおける多種多様な既定光源の分光特性が具体的な名称を付して書き込まれている。たとえば、図示の例では、日中の太陽光を示す昼光色、白熱電球、メタルハライドランプ、３波長蛍光灯（昼光色）、高演色型蛍光灯（昼光色）、ショーケース用蛍光ランプ、食肉展示用蛍光ランプなどの分光特性が書き込まれている。分光特性とは、光の各波長成分のエネルギー分布を示す指標のことである。分光放射率特性ともいう。
【００２６】
図５〜図７は、光源色テーブル２０に書き込まれている分光特性の具体例を示す図である。これらの図において、縦軸は比エネルギー（％）、横軸は波長（ｎｍ）を示す。各々の分光特性を概説すると、図５（ａ）に示す昼光色は、波長４００〜５００ｎｍ付近に若干のピークが見られるものの波長全体がほぼフラットな分光特性を有しており、図５（ｂ）に示す白熱電球は、低波長域から高波長域にかけて徐々に比エネルギーが高くなる右方上がりの分光特性を有しており、図５（ｃ）に示すメタルハライドランプは、概ね４００ｎｍ〜６５０ｎｍ付近にかけて高い比エネルギーで且つ５４０ｎｍ付近に若干のピークを持つ分光特性を有している。
【００２７】
また、図６（ａ）に示す白色蛍光灯は、４１０ｎｍ、４８０ｎｍ、５２０ｎｍ及び５５０ｎｍ付近の４つのピークを持つ分光特性を有しており、図６（ｂ）に示す３波長型蛍光灯は、４３０ｎｍ、５５０ｎｍ及び６１０ｎｍ付近の３つのピークを持つ分光特性を有しており、図６（ｃ）に示す高演色型蛍光灯は、３８０ｎｍ、４１０ｎｍ、４５０ｎｍ、５５０ｎｍ及び５９０ｎｍ付近の５つのピークを持つ分光特性を有している。
【００２８】
また、図７（ａ）に示すショーケース用蛍光ランプは、４３０ｎｍ、５５０ｎｍ、６１０ｎｍ及び６７０ｎｍ付近の４つのピークを持つ分光特性を有しており、図７（ｂ）に示す食肉展示用蛍光ランプは、４００ｎｍ、４２０ｎｍ、５５０ｎｍ及び６５０ｎｍ付近の４つのピークを持つ分光特性を有している。
【００２９】
このように、様々な撮影シーンにおける多種多様な既定光源の分光特性は、それぞれ図示のような特異なパターンを有しているが、それらの「色温度」は一般的に以下のとおりである。
昼光色：約６５００Ｋ
白熱電球：約２５００〜３４００Ｋ
メタルハライドランプ：約４０００〜５５００Ｋ
白色蛍光灯：約３９００〜４５００Ｋ
３波長型蛍光灯：約５７００〜７１００Ｋ
高演色型蛍光灯：約４６００〜５４００Ｋ
ショーケース用蛍光ランプ：約５７００Ｋ
食肉展示用蛍光ランプ：約３７００Ｋ
【００３０】
図８は、既定光源の色温度対応図である。この図に示すように、いくつかの既定光源の色温度は特定の値を有している。すなわち、昼光色は「６５００Ｋ」、ショーケース用蛍光ランプは「５７００Ｋ」、食肉展示用蛍光ランプは「３７００Ｋ」というように特定の値を有しているが、他の既定光源の色温度は特定の値ではなく、ある範囲の値を有している。具体的には、白熱電球は「２５００Ｋ」から「３４００Ｋ」、メタルハライドランプは「４０００Ｋ」から「５５００Ｋ」、白色蛍光灯は「３９００Ｋ」から「４５００Ｋ」、３波長型蛍光灯は「５７００Ｋ」から「７１００Ｋ」、高演色型蛍光灯は「４６００Ｋ」から「５４００Ｋ」である。
【００３１】
冒頭の従来技術のように、色温度で発光バランスを設定しようとした場合、特定の値を持つ既定光源（昼光色、ショーケース用蛍光ランプ、食肉展示用蛍光ランプ）については特段の不都合はないが、ある範囲の値を持つ既定光源（白熱電球、メタルハライドランプ、白色蛍光灯、３波長型蛍光灯、高演色型蛍光灯）については不都合を招く。その範囲内の一つの値を選択して色温度として指定しなければならないからであり、その選択値は、代表値又は適当値に過ぎないからである。したがって、従来技術は、とりわけ、ある範囲の色温度を持つ既定光源（白熱電球、メタルハライドランプ、白色蛍光灯、３波長型蛍光灯、高演色型蛍光灯）と同一又は相当に類似した分光特性を得ることができないという欠点がある。
【００３２】
そこで、本実施形態では、様々な既定光源の分光特性データを保持すると共に、所望の既定光源を選択し、その既定光源の分光特性データに基づいてストロボ発光部１５の各色の発光素子の発光強度を制御することにより、既定光源の分光特性を模擬的に合成し、これによって、前記の不都合を解消しようとしたものである。
【００３３】
本実施形態では、光の三原色の発光素子（Ｒ発光素子、Ｇ発光素子及びＢ発光素子）の使用を例にした。これは、既述のとおり、説明を簡単化するための便宜である。図５〜図７に示すとおり、既定光源の各々の分光特性データは、可視光域の広範囲な波長データを含んでいるから、より正確な分光特性の再現（模擬合成）を目指すのであれば、光の三原色の発光素子（Ｒ発光素子、Ｇ発光素子及びＢ発光素子）だけでなく、さらに他の色の発光素子も制御対象とすることはもちろんである。Ｒ発光素子の波長は６６０ｎｍ、Ｇ発光素子の波長は５２０ｎｍ、Ｂ発光素子の波長は４５０ｎｍであるので、これらの三つの発光素子だけでは（図５〜図７のハッチングで示すように）、それらの三つの波長に対応した不完全な分光特性の再現（模擬合成）しかできないからであり、さらに他の色（たとえば、橙や黄色、青緑・・・・等）の発光素子を制御対象に加えれば、それら他の色の波長も加味した、より実際に近い分光特性を再現（模擬合成）できるからである。
【００３４】
しかし、必要最小限の発光素子（例：光の三原色の発光素子）だけにするか、さらに、それらに他の色の発光素子を加えるかの選択は、もっぱら分光特性の再現（模擬合成）精度の要求度合いによって決まるので、仕様要求に応じて取捨選択すべき設計事項の範囲ということもできるが、本実施形態における技術思想の要点は、前記のとおり様々な既定光源の分光特性データを保持すると共に、所望の既定光源を選択し、その既定光源の分光特性データに基づいてストロボ発光部１５の各色ごとの発光素子の発光強度を制御するようにした点にあるのであるから、要は、この技術思想に従うものであれば、如何なる変形例や発展例であっても構わない。
【００３５】
次に、本実施形態のデジタルカメラ１におけるストロボ分光特性設定の動作について説明する。
図９〜図１１は、ストロボ分光特性設定の動作を示すフローチャートであり、このフローチャートは、中央制御部１８のＣＰＵ１８ａで実行される制御プログラムの一部である。
【００３６】
このフローチャートは、デジタルカメラ１のメニューボタン１０を押して表示部７にメニュー画面を表示し、カーソルキー１１を用いて、そのメニュー画面から「ストロボ分光特性設定」の項目を選択することにより開始される。
【００３７】
このフローチャートでは、まず、既定の光源色を選択するか否かを判定する（ステップＳ１）。既定の光源色とは、既定の光源色テーブル２０に書き込まれている光源色のことであって、具体的には、昼光色、白熱電球、メタルハライドランプ、白色蛍光灯、３波長型蛍光灯、高演色型蛍光灯、ショーケース用蛍光ランプ、食肉展示用蛍光ランプのいずれかのことである。既定の光源色を選択する場合は、次に、既定の光源色の選択メニューを表示部７に表示する（ステップＳ２）。
【００３８】
図１２は、既定の光源色の選択メニューを示す図である。この図において、表示部７には、既定の光源色テーブル２０に書き込まれている既定光源色名を一覧表示するリストボックス２２と、決定ボタン２３と、キャンセルボタン２４とをレイアウトした既定の光源色の選択メニュー２５が表示されている。リストボックス２２のハッチングは、選択中の既定光源色名を表している。この既定光源色でよければ決定ボタン２３を押し（選択確定：ステップＳ３）、他の既定光源色に変更するのであれば、カーソルキー１１を操作して所望の既定光源色を選択した後、決定ボタン２３を押す（選択確定：ステップＳ３）。または、操作をキャンセルする（いずれの既定光源色も選択しない）のであれば、キャンセルボタン２４を押す（選択取り消し：ステップＳ４）。
【００３９】
選択取り消しの場合はそのままフローチャートを終了し、選択確定の場合は、選択された光源に対応した分光特性データを既定の光源色テーブル２０から読み出し、その分光特性データに基づいてストロボ発光部１５の各色ごとの発光素子の発光強度を制御（ステップＳ５）した後、フローチャートを終了する。
【００４０】
一方、ステップＳ１で、既定の光源色の選択を判定しなかった場合は、カスタム設定の選択メニューを表示部７に表示する（ステップＳ６）。
【００４１】
図１３（ａ）は、カスタム設定の選択メニューを示す図である。この図において、表示部７には、カスタム設定テーブル２１に書き込まれているカスタム設定名を一覧表示するリストボックス２６と、新規追加ボタン２７と、決定ボタン２８と、キャンセルボタン２９とをレイアウトしたカスタム設定の選択メニュー３０が表示されている。リストボックス２６に所望のカスタム設定がない場合は、新規追加ボタン２７を押して（ステップＳ７）、後で説明する新規追加処理を実行する。
【００４２】
リストボックス２６のハッチングは、選択中のカスタム設定名を表している。このカスタム設定でよければ決定ボタン２８を押し（選択確定：ステップＳ８）、他のカスタム設定に変更するのであれば、カーソルキー１１を操作して所望のカスタム設定を選択した後、決定ボタン２８を押す（選択確定：ステップＳ８）。または、操作をキャンセルする（いずれのカスタム設定も選択しない）のであれば、キャンセルボタン２９を押す（選択取り消し：ステップＳ９）。
【００４３】
選択取り消しの場合はそのままフローチャートを終了し、選択確定の場合は、選択されたカスタム設定に対応した分光特性データをカスタム設定テーブル２１から読み出し、その分光特性データに基づいてストロボ発光部１５の各色ごとの発光素子の発光強度を制御（ステップＳ１０）した後、フローチャートを終了する。
【００４４】
新規追加ボタン２７を押した場合は、カスタム設定の新規追加画面を表示部７に表示する（ステップＳ１１）。
【００４５】
図１３（ｂ）は、カスタム設定の新規追加画面を示す図である。この図において、表示部７には、横軸を各色名（波長でもよい）に対応させるとともに、縦軸を波長ごとの光強度に関する情報（たとえば、比エネルギー）に対応させた分光特性の模式図形３１と、カスタム設定名入力テキストボックス３２と、決定ボタン３３と、キャンセルボタン３４とをレイアウトしたカスタム設定の新規追加画面３５が表示されている。
【００４６】
分光特性の模式図形３１の各色（又は波長）の位置には、波長ごとの光強度に関する情報（ここでは、比エネルギーとするが、これに限定されない。）を設定するためのコントロールオブジェクトとして、それぞれ上下に移動可能な複数（ここでは３個）のスライダ３６〜３８が配置されている。本実施形態では、赤（Ｒ）、緑（Ｇ）及び青（Ｂ）の各色の発光素子を制御対象とするので、左端のスライダ３６は青色用、中央のスライダ３７は緑色用、右端のスライダ３８は赤色用である。もちろん、光の三原色以外の色の発光素子も制御対象とするのであれば、それらの色のスライダも、スライダ３６〜３８に並べて適切に配置する。
【００４７】
所望の分光特性をカスタム設定する場合は、まず、スライダ３６〜３８を個別に操作して各色の比エネルギーをセットし、次いで、その名称をカスタム設定名入力テキストボックス３２に書き込み、最後に、決定ボタン３３を押すと、それらの分光特性データとカスタム設定名がカスタム設定テーブル２１に新規登録される。又は、途中で操作を取り消す場合は、キャンセルボタン３４を押す。
【００４８】
キャンセルボタン３４が押された場合は、スタップＳ９のＹＥＳ判定から抜けてフローチャートを終了し、決定ボタン３３が押された場合は、新規追加されたカスタム設定に対応した分光特性データをカスタム設定テーブル２１から読み出し、その分光特性データに基づいてストロボ発光部１５の各色ごとの発光素子の発光強度を制御（ステップＳ１０）した後、フローチャートを終了する。
【００４９】
以上のとおり、本実施形態によれば、
（Ａ）様々な既定光源の分光特性データを保持すると共に、所望の既定光源を選択し、その既定光源の分光特性データに基づいてストロボ発光部１５の各色ごとの発光素子の発光強度を制御するようにしたので、
（Ｂ）特定の色温度を持つ既定光源（昼光色、ショーケース用蛍光ランプ、食肉展示用蛍光ランプ）はもちろんのこと、ある範囲の色温度を持つ既定光源（白熱電球、メタルハライドランプ、白色蛍光灯、３波長型蛍光灯、高演色型蛍光灯）であっても、それらの分光特性に適合した再現性のよい模擬合成光を得ることができ、さらに、
（Ｃ）所望の分光特性データが保持されていない場合には、カスタム設定として任意に作成して、それを保持することができるので、あらゆる種類の光源に対応することができ、汎用性の高い照明装置を実現することができる。
【００５０】
その結果、実際の光源をよりリアルにシミュレーション合成して撮影できるほか、照明の演色性などを変えたり、所定の被写体ごとに適した分光特性に切り替えたり、あるいは、さらに、実際の光源では実現できない分光特性の照明光を疑似合成したり、また、同じカメラで同じ複数のＬＥＤストロボを利用して、ユーザーのスイッチ操作による選択や、カメラ制御部からの制御により、所望の特性の照明光を照射してストロボ撮影を行なうことができるなどの効果が得られる。
【００５１】
また、カスタム設定画面（図１３の新規追加画面３５）では、波長ごとの光強度に関する情報（比エネルギー）を設定するためのコントロールオブジェクト（スライダ３６〜３８）を配置しているので、実際の分光特性のグラフをイメージして直感的に操作することができ、使い勝手をよくし、設定ミス等の発生を回避することができる。
【００５２】
なお、図１３（ｂ）のカスタム設定の新規追加画面３５では、スライダ方式によって分光特性のカスタム設定を行うようにしているが、これに限定されず、たとえば、次のようにしてもよい。
図１４（ａ）は、カスタム設定の新規追加画面の他の例を示す図である。この図において、表示部７には、横軸を光の波長（光の色名でもよい）に対応させるとともに、縦軸を波長ごとの光強度に関する情報（たとえば、比エネルギー）に対応させた分光特性の模式図形３９と、カスタム設定名入力テキストボックス３２と、決定ボタン３３と、キャンセルボタン３４とをレイアウトしたカスタム設定の新規追加画面４０が表示されている。模式図形３９以外の要素、すなわち、カスタム設定名入力テキストボックス３２、決定ボタン３３、及び、キャンセルボタン３４は、図１３（ｂ）のカスタム設定の新規追加画面３５のものと同じである。
【００５３】
模式図形３９は、タッチペン４１（又は指先等でもよい。）の任意位置へのタッチ入力に応答して、そのタッチ位置に所定の印（図では小さな丸記号４２〜４６であるが、他の記号や図形などであってもよい。）を表示すると共に、それらの丸記号４２〜４６の間をベジェ曲線４７（Ｎ個の制御点から得られるＮ−１次曲線のことであり、図示の例では丸記号４２〜４６の各々の位置が制御点になる。）で結んでいる。
【００５４】
このような構成において、所望の分光特性をカスタム設定する場合は、タッチペン４１を用いて模式図形３９中の任意位置をタッチし、そのタッチを繰り返して所望の分光特性曲線を描き、そして、その名称をカスタム設定名入力テキストボックス３２に書き込み、最後に、決定ボタン３３を押せばよい。それらの分光特性データとカスタム設定名がカスタム設定テーブル２１に新規登録することができる。また、タッチペン４１によって任意位置をタッチするだけで、意図した形に近い分光特性曲線を描くことができるので、前述のカスタム設定例（スライダによるもの）に比べて、きめ細かな分光特性のカスタム設定を行うことができる。
【００５５】
図１４（ｂ）は、カスタム設定の新規追加画面のさらに他の例を示す図である。この図において、カスタム設定の模式図形４８は、タッチペン４１（又は指先等でもよい。）のタッチ座標の変化に追従した自由曲線（自在曲線ともいう。）４９を表示する。この自由曲線４９は、タッチ座標の変化を正確にトレースしたものであってもよいが、ペン先のブレ等により、ぎくしゃくした曲線が描かれる可能性があるので、実用上は、所要の線形補正（たとえば、上記のベジェ曲線によるもの。）を行って見た目に滑らかな曲線とすることが望ましい。
【００５６】
このような構成においても、所望の分光特性をカスタム設定する場合は、タッチペン４１を用いて模式図形４８に、その分光特性に対応した自由曲線４９を描き、そして、その名称をカスタム設定名入力テキストボックス３２に書き込み、最後に、決定ボタン３３を押せばよい。それらの分光特性データとカスタム設定名がカスタム設定テーブル２１に新規登録することができる。また、タッチペン４１によって好きな形の自由曲線４９を描くことができるので、前述のカスタム設定例（スライダによるもの）に比べて、よりきめ細かな分光特性のカスタム設定を行うことができる。
【００５７】
なお、以上の実施形態では、閃光型の照明装置（いわゆるストロボ装置）への適用を例にしたが、これに限定されない。常時点灯型のもの、たとえば、ビデオカメラ等に用いられる常時点灯型の照明装置にも適用することができる。常時点灯型の照明装置においても、その光源に発光素子を用いることがあり、同様に、各種の光源色に対応した再現性のよい分光特性が求められるからである。
【００５８】
また、以上の説明では、カメラ内蔵の照明装置を例にしたが、これに限らず、デジタルカメラやビデオカメラ等に直接又はケーブル接続で外付けして用いられる単体型の照明装置に適用してもよい。
【図面の簡単な説明】
【００５９】
【図１】本発明の実施形態を適用するデジタルカメラ１の外観図である。
【図２】デジタルカメラ１のブロック図である。
【図３】ストロボ発光部１５の発光素子の配列図及びストロボ発光部１５のブロック図である。
【図４】ＰＲＯＭ１８ｄに格納されている二つのテーブルを示す図である。
【図５】光源色テーブル２０に書き込まれている分光特性の具体例（分光放射率特性）を示す図（その１）である。
【図６】光源色テーブル２０に書き込まれている分光特性の具体例（分光放射率特性）を示す図（その２）である。
【図７】光源色テーブル２０に書き込まれている分光特性の具体例（分光放射率特性）を示す図（その３）である。
【図８】既定光源の色温度対応図である。
【図９】ストロボ分光特性設定の動作を示すフローチャート（その１）である。
【図１０】ストロボ分光特性設定の動作を示すフローチャート（その２）である。
【図１１】ストロボ分光特性設定の動作を示すフローチャート（その３）である。
【図１２】既定の光源色の選択メニューを示す図である。
【図１３】カスタム設定の選択メニューを示す図及びカスタム設定の新規追加画面を示す図である。
【図１４】カスタム設定の新規追加画面の他の例を示す図である。
【符号の説明】
【００６０】
Ｒ、Ｇ、Ｂ  発光素子
１  デジタルカメラ（カメラ）
１５  ストロボ発光部（発光手段）
１８ａ  ＣＰＵ（選択手段、制御手段、設定手段）
１８ｄ  ＰＲＯＭ（保持手段）
３５  新規追加画面（設定画面）
３６〜３８  スライダ（コントロールオブジェクト）
３９  新規追加画面（設定画面）
４８  新規追加画面（設定画面）
【図１】
2010020042.tif 000003
【図２】
2010020042.tif 000004
【図３】
2010020042.tif 000005
【図４】
2010020042.tif 000006
【図５】
2010020042.tif 000007
【図６】
2010020042.tif 000008
【図７】
2010020042.tif 000009
【図８】
2010020042.tif 000010
【図９】
2010020042.tif 000011
【図１０】
2010020042.tif 000012
【図１１】
2010020042.tif 000013
【図１２】
2010020042.tif 000014
【図１３】
2010020042.tif 000015
【図１４】
2010020042.tif 000016